(57)【特許請求の範囲】
【請求項１】
遊技機に隣接して設置される、パチンコ玉を貸し出すための処理をする台間機が設置される位置を基準として配置される基準設置部と、
前記基準設置部に装着され、獲得したパチンコ玉を受ける玉受部または該玉受部を配置するための設置ベースを所定の位置に設置するための基準位置を、前記遊技機の下方側において前方に突設された天板上において指示する設置位置指示部と
を具備することを特徴とする設置用冶具。
【請求項２】
前記基準設置部が、台間機を設置する位置に配置する台間機設置位置設置部材、および前記台間機設置位置設置部材を台間機を設置する位置に配置した際に正面側に突出する前記台間機設置位置設置部材の端面から遊技機の前面に沿う方向に延設されたアーム部材を有し、
前記設置位置指示部が、上下方向の位置を調整して前記アーム部材に固定可能な高さ調整部材、および前記高さ調整部材に設けられ、前記玉受部または前記設置ベースの少なくとも一部を当接させることで前記玉受部または前記設置ベースを設置する位置の位置決めが可能な位置決め部材を有することを特徴とする請求項１記載の設置用冶具。
【請求項３】
パチンコ玉を貸し出すための処理をする台間機を設置する位置に配置する台間機設置位置設置部材、および前記台間機設置位置設置部材を台間機を設置する位置に配置した際に正面側に突出する前記台間機設置位置設置部材の端面から遊技機の前面に沿う方向に延設されたアーム部材を有する基準設置部と、
上下方向の位置を調整して前記アーム部材に固定可能な高さ調整部材、および前記高さ調整部材に設けられ、獲得したパチンコ玉を受ける玉受部または該玉受部を配置するための設置ベースの少なくとも一部を当接させることで前記玉受部または前記設置ベースを設置する位置の位置決めが可能な位置決め部材を有する設置位置指示部と
を備える設置用冶具を用いた設置物の設置方法であって、
前記台間機設置位置設置部材を台間機を設置する位置に配置する工程と、
前記高さ調整部材の下端面が、遊技機の下方側において前方に突設された天板の上面に接する位置に、前記アーム部材に対する前記高さ調整部材の上下方向の位置を調整して、前記高さ調整部材を前記アーム部材に固定する工程と、
設置する玉受部または設置ベースの少なくとも一部を前記位置決め部材に当接させ玉受部または設置ベースを天板の上面の所定の位置に設置する工程と
を具備することを特徴とする設置物の設置方法。
【請求項４】
請求項３記載の設置物の設置方法によって設置されたことを特徴とする設置ベース。
【請求項５】
請求項４記載の設置ベースを備え、前記設置ベース上に設置され、パチンコ玉を受けることが可能な玉受部を具備することを特徴とする玉箱部材。
【請求項６】
請求項５記載の玉箱部材を備え、該玉箱部材の玉通路を流下するパチンコ玉を計数する計数部を具備することを特徴とする計数機。
【請求項７】
請求項５記載の玉箱部材を備え、遊技機に隣接して設置され、パチンコ玉を貸し出すための処理が可能であり、前記玉箱部材の玉通路を流下してきたパチンコ玉を導入するための導入部を具備することを特徴とする台間機。
【発明の詳細な説明】
【技術分野】
【０００１】
本発明は、例えば、パチンコ機毎に設けられ、遊技客が獲得したパチンコ玉を収容可能な玉受部またはこの玉受部を設置する設置ベースを天板上の所定の位置に設置するための設置用冶具、この設置用冶具を用いた設置物の設置方法、この設置物の設置方法に設置された設置ベース、この設置ベースを備える玉箱部材、計数機および台間機に関する。
【背景技術】
【０００２】
パチンコ機から排出されたパチンコ玉を収容する玉箱は、天板上に配置された玉箱設置台に設置される。一般的に、この玉箱設置台は、可撓性を有しないプラスチックや金属で構成される。従来の玉箱は、玉箱の裏面に形成された溝部に、この玉箱の溝部に対応させて玉箱設置台に設けられた位置固定突起部を嵌合させて位置設定がなされている（例えば、特許文献１参照。）。また、玉箱設置台は、例えば接着剤や両面テープによって天板に接着される。
【特許文献１】特開２００７−２２９１１３号公報
【発明の開示】
【発明が解決しようとする課題】
【０００３】
上記した従来の玉箱設置台を天板に接着する際、玉箱設置台が可撓性を有しないプラスチックや金属で構成され、所定の厚さを有しているため、例えば、玉箱設置台の１つの端辺の上面側を位置決め部材に当接させて玉箱設置台を貼りつけると、その１つの端辺の下面側は、位置決め部材に当接させた上面側よりも内側、すなわち位置決め部材から離れた側に位置することになり、設置位置のずれが生じる。このずれは、玉箱設置台の厚さが厚いほど大きくなる傾向にある。
【０００４】
そこで、本発明では、このような課題を解決するためになされたもので、遊技客が獲得したパチンコ玉を収容可能な玉受部またはこの玉受部を設置する設置ベースを所定の位置にずれるとなく正確に設置することができる設置用冶具、この設置用冶具を用いた設置物の設置方法、この設置物の設置方法に設置された設置ベース、この設置ベースを備える玉箱部材、計数機および台間機を提供することを目的とする。
【課題を解決するための手段】
【０００５】
上記目的を達成するために、本発明の設置用冶具は、遊技機に隣接して設置される、パチンコ玉を貸し出すための処理をする台間機が設置される位置を基準として配置される基準設置部と、前記基準設置部に装着され、獲得したパチンコ玉を受ける玉受部または該玉受部を配置するための設置ベースを所定の位置に設置するための基準位置を、前記遊技機の下方側において前方に突設された天板上において指示する設置位置指示部とを具備することを特徴とする。
【０００６】
この設置用冶具によれば、基準設置部を台間機が設置される位置に設置し、その位置を基準として、玉受部や設置ベースを設置する天板上の位置を特定することができる。これによって、玉受部や設置ベースを天板の上面の所定の位置に正確にかつ容易に設置することができる。
【０００７】
なお、遊技機に隣接して設置されたパチンコ玉を貸し出すための処理をする台間機として、台間機自体からパチンコ台の上皿にノズルを介してパチンコ玉を貸し出す台間玉貸機、パチンコ台がパチンコ玉を上皿に貸し出す為に台間機からパチンコ台へ指示信号を出力する台間ユニット等が例示できる。
【０００８】
また、本発明の設置用冶具は、前記基準設置部が、台間機を設置する位置に配置する台間機設置位置設置部材、および前記台間機設置位置設置部材を台間機を設置する位置に配置した際に正面側に突出する前記台間機設置位置設置部材の端面から遊技機の前面に沿う方向に延設されたアーム部材を有し、前記設置位置指示部が、上下方向の位置を調整して前記アーム部材に固定可能な高さ調整部材、および前記高さ調整部材に設けられ、前記玉受部または前記設置ベースの少なくとも一部を当接させることで前記玉受部または前記設置ベースを設置する位置の位置決めが可能な位置決め部材を有することを特徴とする。
【０００９】
この設置用冶具によれば、位置決め部材に玉受部や設置ベースを当接させて、位置決めを行うことができるので、玉受部や設置ベースを天板の上面の所定の位置に正確にかつ容易に設置することができる。
【００１０】
本発明の設置物の設置方法は、パチンコ玉を貸し出すための処理をする台間機を設置する位置に配置する台間機設置位置設置部材、および前記台間機設置位置設置部材を台間機を設置する位置に配置した際に正面側に突出する前記台間機設置位置設置部材の端面から遊技機の前面に沿う方向に延設されたアーム部材を有する基準設置部と、上下方向の位置を調整して前記アーム部材に固定可能な高さ調整部材、および前記高さ調整部材に設けられ、獲得したパチンコ玉を受ける玉受部または該玉受部を配置するための設置ベースの少なくとも一部を当接させることで前記玉受部または前記設置ベースを設置する位置の位置決めが可能な位置決め部材を有する設置位置指示部とを備える設置用冶具を用いた設置物の設置方法であって、前記台間機設置位置設置部材を台間機を設置する位置に配置する工程と、前記高さ調整部材の下端面が、遊技機の下方側において前方に突設された天板の上面に接する位置に、前記アーム部材に対する前記高さ調整部材の上下方向の位置を調整して、前記高さ調整部材を前記アーム部材に固定する工程と、設置する玉受部または設置ベースの少なくとも一部を前記位置決め部材に当接させ玉受部または設置ベースを天板の上面の所定の位置に設置する工程とを具備することを特徴とする。
【００１１】
この設置物の設置方法によれば、基準設置部を台間機が設置される位置に設置し、その位置を基準として、玉受部や設置ベースを設置する天板上の位置を特定することができる。これによって、玉受部や設置ベースを天板の上面の所定の位置に正確にかつ容易に設置することができる。なお、遊技機に隣接して設置されたパチンコ玉を貸し出すための処理をする台間機として、台間機自体からパチンコ台の上皿にノズルを介してパチンコ玉を貸し出す台間玉貸機、パチンコ台がパチンコ玉を上皿に貸し出す為に台間機からパチンコ台へ指示信号を出力する台間ユニット等が例示できる。
【００１２】
本発明の設置ベースは、上記した設置物の設置方法によって設置されたことを特徴とする。
【００１３】
本発明の玉箱部材は、上記した設置ベースを備え、前記設置ベース上に設置され、パチンコ玉を受けることが可能な玉受部を具備することを特徴とする。
【００１４】
本発明の計数機は、上記した玉箱部材を備え、該玉箱部材の玉通路を流下するパチンコ玉を計数する計数部を具備することを特徴とする。
【００１５】
本発明の台間機は、上記した玉箱部材を備え、遊技機に隣接して設置され、パチンコ玉を貸し出すための処理が可能であり、前記玉箱部材の玉通路を流下してきたパチンコ玉を導入するための導入部を具備することを特徴とする。
【００１６】
なお、遊技機に隣接して設置されたパチンコ玉を貸し出すための処理をする台間機として、台間機自体からパチンコ台の上皿にノズルを介してパチンコ玉を貸し出す台間玉貸機、パチンコ台がパチンコ玉を上皿に貸し出す為に台間機からパチンコ台へ指示信号を出力する台間ユニット等が例示できる。
【発明の効果】
【００１７】
本発明の設置用冶具、設置物の設置方法によれば、遊技客が獲得したパチンコ玉を収容可能な玉受部またはこの玉受部を設置する設置ベースを所定の位置にずれるとなく正確に設置することができる。また、本発明の設置用冶具、設置物の設置方法により設置された設置ベース、およびこの設置ベースを備える玉箱部材、計数機および台間機を提供することができる。
【発明を実施するための最良の形態】
【００１８】
以下、本発明に係る玉箱部材、計数機、台間機およびを備えた遊技処理システム１の一実施の形態を図面を参照して説明する。
【００１９】
図１は、遊技処理システム１の概要を示す図である。この遊技処理システム１では、複数のパチンコ機２および複数のパチンコ機２のそれぞれに接続された台間機３、４、複数のスロットマシン５およびメダル払出用の台間機６等が島コンピュータ７を介してネットワーク８に接続されている。また、例えば、パチンコ機２のそれぞれに接続された台間機３、４には、計数機（図示しない）が設けられ、各パチンコ機２のそれぞれに対応して設けられた玉箱３００から玉通路４００を介して台間機３、４に導かれたパチンコ玉を計数する。
【００２０】
また、ネットワーク８には、例えば、入金額を度数（有価価値）に変換して管理装置１３の記憶部に、受け入れた会員用ＩＣカードまたは受け入れるか、新たに発行する非会員用ＩＣカードの度数（有価価値）を各ＩＣカードのＩＤ（カード識別情報）に基づいて記憶し、その度数の範囲で遊技媒体を貸し出す台間機４、５または貸し出しを遊技機に指示する台間機３（台間ユニットともいう）が接続されている。さらに、ネットワーク８には、例えば、受け入れた会員用ＩＣカードまたは非会員用ＩＣカードの度数（有価価値）残高を現金で返却する精算機１０、受け入れた会員用ＩＣカードや貯玉数の情報が記録されたレシートから貯玉数を参照し、貯玉数とその貯玉数により交換される景品種別と数量の表示を行い、景品払出機１８が併設される場合、景品払出機１８へ払い出す景品の種別と数量を指示する景品管理機（ＰＯＳ）１１なども接続されている。
【００２１】
また、管理装置１３の記憶部に会員用ＩＣカードのＩＤに基づいて記憶された貯玉数や貯メダル数の口座があり、台間機３、４に設けられた計数機にて計数された獲得遊技媒体数があれば、ネットワーク８を介して管理装置１３に送信し、口座に貯玉数や貯メダル数として積算して記憶する。そして、再プレーを行える状態にする再プレー受付機１２は、受け付けた会員用ＩＣカードのＩＤを読み取り、ＩＤとともにＩＤで特定される口座の貯玉数や貯メダル数の一部または全部を、１万円分を上限とし、再プレー用貯玉数や再プレー用貯メダル数の情報を書き換える旨の要求信号を、ネットワーク８を介して管理装置１３に送信し、再プレーを行える状態にする。また、発行機２０は、受け入れた紙幣額に対して購入度数ボタンで選択された金額に対応する度数を、非会員用ＩＣカードや会員用ＩＣカードに記録されているＩＤ情報に対応して管理装置１３に記録更新し、非会員用ＩＣカードの新期発行や受け入れた会員カードの返却を行う。また、他には、各遊技機の上部に取り付けられ、各遊技機における、例えば、スランプグラフ、スタート回数、大当たり回数などの情報を表示するデータ表示機２１、各遊技機の、例えば、スランプグラフ、スタート回数、大当たり回数などの情報を検索可能であり、その検索情報を表示部に表示して遊技客に提供するデータ公開機２２などがネットワーク８に接続されている。
【００２２】
ここで、会員の遊技客とは、住所、氏名、年齢、性別、好きな台、連絡先、暗証番号などの属性情報が会員の遊技客を互いに識別するＩＤに基づいて管理装置に登録され、会員用ＩＣカードを有する遊技客をいう。また、非会員の遊技客とは、会員登録されていない一般の遊技客をいう。
【００２３】
また、会員用ＩＣカードや非会員用ＩＣカードには、例えば、ＩＣチップと、そのＩＣチップを取り巻くアンテナ部とを有し、アンテナ部を介してＩＣチップに情報の読み書きをすることができる非接触型の記憶媒体などが使用される。
【００２４】
上記した各機器からの情報は、ネットワーク８を介して管理装置１３に出力され、さらに、プロトコルコンバータ１４、モデム１５を介してカードセンタ１６に送信される。
【００２５】
また、各機器からの情報が出力される管理装置１３には、例えば、管理装置１３の情報を参照する機能を含んだパーソナルコンピュータ１７などが接続されている。また、管理装置１３からの情報は、ネットワーク８を介して各機器に出力される。なお、管理装置１３は、１つまたは複数の管理装置で構成することができる。複数の管理装置の場合として、度数などの有価価値情報を処理するカードシステム用管理装置、店員がパチンコ機２の釘やスロットマシン５の出メダル率を変更するための設定を調整するために、パチンコ機などの遊技機の稼動情報を集計するホールコンピュータ、景品の在庫数や出庫数を管理し、景品交換するための景品管理用管理装置、貯玉数などを管理するための会員管理用管理装置などが例示でき、これら管理装置をネットワーク８により接続して相互にデータ通信させることで管理装置１３を構成することができる。
【００２６】
次に、本発明に係る玉箱３００、玉通路４００などの玉箱部材を備えるパチンコ島１００の構成について、図２〜図４を参照して説明する。
【００２７】
図２は、パチンコ機２を複数並設してなるパチンコ島１００を示す斜視図である。図３は、図２に示したパチンコ島１００における、パチンコ機２の遊技において使用される台間機３、４を取り除いた状態のパチンコ機２の側面図である。図４は、図２に示したパチンコ島１００における、パチンコ機２の遊技において使用される台間機３、４を取り付けた状態のパチンコ機２の側面図である。
【００２８】
図２に示すように、パチンコ島１００は、つま板１０１間に複数のパチンコ機２、２…が並設されており、パチンコ機２、２…間には、台間機３、４が挟まれた状態で配置され、その上部に幕板１０２が設けられている。この幕板１０２には、例えば、獲得した遊技媒体数に対応した表示機能を備える表示機２０５が設置され、その表示機２０５の下部には、例えば、スランプグラフ、スタート回数、大当たり回数などの情報を表示するデータ表示機２１が設置されている。パチンコ機２、２…および台間機３、４は、膳板１０３上に設置されている。
【００２９】
また、パチンコ機２、２…の前方には、各パチンコ機２、２…に対応して遊技客が座る椅子（図示しない）が配置される。さらに、各パチンコ機２、２…の下方に前方に突き出し、パチンコ島１００に長手方向に設けられた天板１０４（カウンタともいう）上には、各パチンコ機２、２…のそれぞれに対応して、玉受部として機能する玉箱３００を設置する設置ベース４５０が設置され、その設置ベース４５０上に、例えば玉箱３００の高さを調整する高さ調整ベース５００を介して玉箱３００が設置されている。また、玉箱３００に収容するパチンコ玉を台間機３、４内に導く玉通路４００は、その一端が玉箱３００におけるパチンコ玉を排出する開口部に対向するように配置され、他端側は、台間機３、４に着脱可能に挿入されている。なお、天板１０４の下方側には、天板１０４に沿ってタバコの吸殻を回収するタバコ回収搬送路（図示しない）を設置することもできる。
【００３０】
なお、玉通路４００は、パチンコ玉を計数する計数部ではパチンコ玉が整列していないと正確に計数できないので、パチンコ玉を整列させる必要があるため、玉箱３００の側からパチンコ玉を整列させる構成を備えることが好ましい。玉通路４００内で整列させる構成を備える場合、玉通路４００内で玉詰りが発生すると、玉通路４００を分解して詰ったパチンコ玉を取り除く必要がある。そのため、上方が開口されて構成される玉箱３００において予めパチンコ玉を整列させる構成を備え、例えば、整列させる際にパチンコ玉が詰って流下しない場合、手でその詰りを取り除けるようにするのが好ましい。
【００３１】
また、パチンコ機２の表面側には、台本体２００、台本体２００の前面のほぼ中央部にほぼ水平に設置される上皿２０１、この上皿２０１の下部にほぼ水平に設置される玉受け皿２０２、この玉受け皿２０２の右方に設置されるハンドル２０３が設けられている。また、玉受け皿２０２の下方には、所定の距離をおいて玉箱３００が配置される。
【００３２】
パチンコ機２は、上皿２０１に入れられたパチンコ玉を、ハンドル２０３を回動することで台本体２００内に打ち込み、入賞して獲得した出玉を上皿２０１および玉受け皿２０２で受ける。この玉受け皿２０２の底部には、開口を有し、この開口を閉じている受け皿シャッタ２０２ａを、玉受け皿２０２の前面に設けられたシャッタ操作部２０４を遊技客が所定方向に動作することで開くことができる。この受け皿シャッタ２０２ａが開くことで、玉受け皿２０２内のパチンコ玉を、玉受け皿２０２の下方の玉箱３００内に排出可能となる。
【００３３】
また、図３に示すように、パチンコ機２の裏面側には、アウト玉を排出するアウト玉排出部２１０、このアウト玉排出部２１０から排出されたアウト玉を受け取るアウトボックス２１１、このアウトボックス２１１のアウト玉排出孔の下方に、アウト玉数を検出するためのアウトメータ２１２が設けられている。このアウトメータ２１２で、検知されたアウト玉は、アウトボックス２１１の底部に設けられた排出口に接続された排出パイプ２１３によって、排出樋２１４に導かれ、回収される。ここで、アウト玉とは、発射玉を意味する。
【００３４】
また、図４に示すように、玉通路４００によって台間機３、４内に導かれたパチンコ玉は、後述する計数部によって計数された後、台間機３、４の裏面に設けられた排出パイプ２１８によって、排出樋２１４に導かれ、回収される。
【００３５】
また、図３および図４に示すように、パチンコ機２からの各種信号配線は、例えば、台間機３、４の裏面に設けられた入力コネクタ２１５に接続され、また、アウトメータ２１２からの信号配線は、台間機３、４の裏面下部に設けられた下部入力コネクタ２１６に接続される。また、パチンコ機２の外部に、出玉信号としてパチンコ機２の上皿へ供給される玉数を計数するセーフメータ（図示しない）が設置される。なお、台間機３のタイプ、いわゆるユニットの場合、対応するパチンコ機２がパチンコ玉を貸し出す、いわゆるＣＲ機であり、セーフメータを用いずに、パチンコ機２から貸し出される貸玉数をパチンコ機２からの出力信号によりカウントできる。ＣＲ機の場合、貸玉数を除いた入賞に基づき、払い出される賞玉に相当するセーフ相当出力がパチンコ機から出力される。セーフメータまたはパチンコ機からの出力信号によりカウントされたパチンコ玉数である賞玉数から、台間機３、４やパチンコ機からの貸玉数や貸玉数に基づく金額情報などの信号による売上と、アウトメータ出力信号による発射玉数と、を減算した情報が遊技ホールにおける損益情報として演算できる。ここで、セーフとは、パチンコ機２への供給玉、つまり遊技の上皿への供給玉を意味する。なお、上記した各種信号配線は、台間機３、４を介して、例えば島コンピュータ７に接続される一例を示したが、この構成に限られるものではなく、例えば、アウトメータ２１２やセーフメータからの情報を直接島コンピュータ７に出力するようにしてもよい。
【００３６】
次に、玉箱部材として機能する、玉箱３００、この玉箱３００を設置する設置ベース４５０、玉箱３００の高さを調整する高さ調整ベース５００および玉通路４００、および玉箱部材を備えた台間機３、４について説明する。
【００３７】
（設置ベース４５０）
まず、図５を参照して、玉箱３００を設置する設置ベース４５０について説明する。  図５は、天板１０４上に設置された設置ベース４５０を示す斜視図である。
【００３８】
図５に示すように、設置ベース４５０は、ベース部材４５１と、このベース部材４５１の左右（天板１０４の長手方向）の両端縁に、天板１０４の短手方向に設けられたガイド部材４５２を備えている。このガイド部材４５２は、玉箱３００の高さを調整する高さ調整ベース５００を所定の方向、ここでは、天板１０４の長手方向（以下、天板長手方向という）に対して垂直な方向（以下、天板短手方向という）に導くため、断面コ字状の部材で構成され、ガイド溝４５３を形成している。また、ベース部材４５１の上面の中央部には、高さ調整ベース５００、すなわち玉箱３００の、天板短手方向の位置決めを行うための位置決め部材４５４が設けられている。この位置決め部材４５４は、後述する、高さ調整ベース５００に設けられた位置決め部材５３０と嵌合して、玉箱３００の天板短手方向の位置決めを行うものである。また、ベース部材４５１の上面から突出してアース部材４５５が設けられ、このアース部材４５５は、外部のアース部と電気的に接続されている。このアース部材４５５は、後述する、高さ調整ベース５００に設けられた導電部材５４０と当接して、玉箱３００内で発生した静電気などをアースするものである。
【００３９】
ここで、ベース部材４５１は、曲げたり撓めたりすることができる、すなわち可撓性を有する材料で、矩形かつ平板状に構成される。可撓性を有する材料として、具体的には、ゴム、ゴム以外のエラストマー、可塑剤を入れて可撓性を設けた塩化ビニール、ポリエチレン、ポリプロピレン、可撓性形状記憶合金などが挙げられる。一方、ガイド部材４５２の材料は、高さ調整ベース５００を所定の方向に導くためのガイド溝４５３を形成できるものならばよく、例えば、ベース部材４５１と同じ可撓性を有する材料、樹脂材料、金属材料などで構成される。例えば、玉箱の天板長手方向の一端側に荷重がかかった場合においては、高さ調整ベース５００の係合部の破損を防止するという観点からは、ゴム材料などの可撓性を有する材料または可撓性形状記憶合金を用いることが好ましい。これによって、玉箱がガイド部材４５２から外れる際に変形したガイド部材４５２を元の形状に復元可能とすることができ、高さ調整ベース５００の係合部の破損を防止することができる。
【００４０】
上記したように、設置ベース４５０のベース部材４５１を可撓性を有する材料で構成され、ベース部材４５１の下面には、両面に接着材が塗布されたテープ、接着剤などの接着部材が設けられているので、例えば、天板の所定の位置に設置する際、ベース部材４５１を曲げたり撓めたりしながら、ベース部材４５１の一部の下面を天板１０４と平行に設置し、後述する設置用冶具６００の位置決め部材６２２の内側面に沿ってベース部材４５１を貼付することができる。これによって、実際に天板に接触する側の端辺の位置と、設置すべき位置とを確認しながら正確に天板１０４上にベース部材４５１を配置することができる。一方、天板１０４の誤った位置に貼付した場合でも、ベース部材４５１のごく一部の下面のみをまず貼付するので、剥がすことが容易であり、再度貼付することができる。
【００４１】
なお、可撓性のない硬い材料で形成されたベース部材４５１を設置用冶具６００を用いて天板１０４の所定の位置に配置する際、後述する設置用冶具６００の位置決め部材６２２の内側面に沿って、ベース部材４５１を水平に上下させなければならない等の微妙な動作を必要とする。このベース部材４５１を水平を維持した状態で上下方向への移動することは非常に困難である。例えば、水平を維持できない場合には、例えば、後述する設置用冶具６００の位置決め部材６２２の内側面に、ベース部材４５１の上部側端辺が当接し、ベース部材４５１が斜めなった分だけ、ベース部材４５１の厚みによって、ベース部材４５１の下部側端辺が、配置すべき位置から若干ずれた位置に配置される。なお、ベース部材４５１は、例えば、長期間所定の位置にずれないように固定するため、極めて強い粘着力を有する、両面に接着材が塗布されたテープ、接着剤などの接着部材によって天板１０４に固着される。したがって、可撓性のない硬い材料で形成されたベース部材４５１を使用する場合には、一気に底面が天板１０４に接触させて貼り付けるため、誤った位置に貼付したベース部材４５１を剥がすことは非常に困難となる。
【００４２】
続いて、設置用冶具６００を用いて設置ベース４５０を天板１０４上の所定の位置に設置する設置方法の一例について、図６〜図７を参照して説明する。
【００４３】
図６は、天板１０４上の所定の位置に設置ベース４５０を配置するための設置用冶具６００の構成を示す斜視図である。図７は、設置用冶具６００を用いて設置ベース４５０を配置する際の上方から見た平面図である。
【００４４】
図６に示すように、設置用冶具６００は、基準設置部６１０と、設置位置指示部６２０とを備えている。
【００４５】
基準設置部６１０は、パチンコ機２に隣接して設置される、パチンコ玉を貸し出すための処理をする台間機３、４が設置される位置を基準として配置されるものである。具体的には、基準設置部６１０は、台間機３、４を設置する位置に配置する筐体からなる台間機設置位置設置部材６１１と、この台間機設置位置設置部材６１１を台間機３、４を設置する位置に配置した際に正面側に突出する台間機設置位置設置部材６１１の端面からパチンコ機２の前面に沿う方向に延設された平板状の部材からなるアーム部材６１２とを備えている。台間機設置位置設置部材６１１は、台間機３、４と同じ幅に設定され、通常台間機を設置するのと同じ位置に設置される。また、アーム部材６１２には、上下方向の位置を調整して、設置位置指示部６２０をアーム部材６１２に固定するため、上下方向に長いねじ止め用の長穴６１３が設けられている。
【００４６】
設置位置指示部６２０は、設置ベース４５０を所定の位置に設置するための基準位置を天板１０４上において指示するものである。具体的には、設置位置指示部６２０は、上下方向の位置を調整してアーム部材６１２に固定可能な高さ調整部材６２１と、この高さ調整部材６２１に接合され、設置ベース４５０の少なくとも一部を当接させることで設置ベース４５０を設置する位置の位置決めが可能な位置決め部材６２２とを備えている。また、高さ調整部材６２１には、上下方向の位置を調整して、基準設置部６１０のアーム部材６１２に固定するため、上下方向に長いねじ止め用の長穴６２３が設けられている。
【００４７】
高さ調整部材６２１は、Ｌ字状の平板部材６２１ａの長辺側面に、長穴６２３が形成された矩形の平板部材６２１ｂをＬ字状の平板部材６２１ａに対して垂直に設けた構成を有している。位置決め部材６２２は、所定の幅を有する平板を直角に折り曲げてＬ字状に形成されている。位置決め部材６２２は、高さ調整部材６２１のＬ字状の平板部材６２１ａの短辺側面に、Ｌ字状の平板部材６２１ａに対してその幅方向が垂直となるように設けられている。
【００４８】
次に、設置用冶具６００を設置する方法について説明する。
【００４９】
まず、図７に示すように、基準設置部６１０の台間機設置位置設置部材６１１を、台間機３、４を設置する位置に固定する。続いて、高さ調整部材６２１の長穴６２３をアーム部材６１２の長穴６１３に対応させて配置し、上下方向の位置の調整、具体的には、高さ調整部材６２１を構成するＬ字状の平板部材６２１ａの下面（底面）が天板１０４の表面に接するように上下方向の位置を調整して、長穴６１３および長穴６２３を利用してねじ止めによって基準設置部６１０のアーム部材６１２に設置位置指示部６２０を固定する。
【００５０】
続いて、位置決め部材６２２のＬ字状に構成された内壁面に設置ベース４５０におけるベース部材４５１の２辺を当接させて、設置ベース４５０の位置決めを行う。なお、天板短手方向および天板長手方向の対する設置ベース４５０の位置決めを行うため、少なくとも、ベース部材４５１の隣接する２辺、すなわち交差するベース部材４５１の２辺を位置決め部材６２２のＬ字状に構成された内壁面に当接させる。
【００５１】
なお、ここでは、高さ調整部材６２１に位置決め部材６２２を取り付ける際、それぞれの底面となる面を同一平面となるように構成しているが、この構成に限られるものではない。例えば、高さ調整部材６２１の上下方向の位置の調整をする際、少なくともどちらか一方の底面が天板１０４の表面に接するように構成してもよい。また、ここでは、設置ベース４５０を位置決め部材６２２に当接させて位置決めする一例を示しているが、例えば、位置決め部材６２２に玉箱３００の少なくとも一部を当接させることで、玉箱３００を設置する位置の位置決めを行ってもよい。
【００５２】
また、設置用冶具６００を構成する材料は、特に限定されるものではなく、例えば、硬い撓まない材料であることが好ましい。具体的には、金属材料、硬質樹脂材料等の硬質材料で構成される。
【００５３】
上記したように、設置用冶具６００の台間機設置位置設置部材６１１は、台間機３、４と同じ幅に設定され、通常台間機３、４を設置する位置と同じ位置に設置されるので、台間機３、４の設置位置を基準として、設置ベース４５０を設置する天板１０４上の位置を特定することができる。これによって、設置ベース４５０を天板１０４の上面の所定の位置に正確にかつ容易に設置することができる。また、台間機設置位置設置部材６１１に設けられたアーム部材６１２に対する高さ調整部材６２１の高さ位置を任意に設定できるので、遊技ホール毎に膳板１０３の天板１０４からの高さが異なるときでも対応することができる。
【００５４】
（玉箱３００）
次に、玉箱３００について説明する。図８は、玉箱３００の斜視図である。図９は、玉箱３００を上方から見たときの平面図である。図１０は、図９のＡ−Ａ断面を示す図である。図１１は、図９のＢ−Ｂ断面を示す図である。
【００５５】
図８および図９に示すように、玉受部として機能する玉箱３００は、左右方向に長い略長方形の底壁３０１と、底壁３０１の互いに対向する各一対の側縁に立設された各一対の側壁３０２ａ、３０２ｂ、３０３ａ、３０３ｂとを備え、パチンコ玉を投入するための上端が開口された収容部３０４を形成している。また、収容部３０４の上縁外周部には、外側に張り出し、さらにその先で下向きに垂下するフランジ部３０５が形成されている。このフランジ部３０５は、玉箱３００の把持部としても機能する。また、図１０に示すように、玉箱３００の下端は、高さ調整ベース５００を挿入するため開口され、底壁３０１の下方側には、高さ調整ベース５００を装着するための空間が設けられている。また、この高さ調整ベース５００を装着するための空間を形成する一対の側壁３８０ａ、３８０ｂには、高さ調整ベース５００における嵌合部５２０の突起部５２１と嵌合する溝部３８１が上下方向に複数設けられている。
【００５６】
底壁３０１は、傾斜底壁部３０６と整列通路底壁部３０７とから構成されている。
傾斜底壁部３０６は、図１０に示すように、側壁３０２ａ側である左端縁から側壁３０２ｂ側である右端縁に向かって所定の角度αで下方傾斜している。また、若干整列通路底壁部３０７側へも下方傾斜している。また、落下してくるパチンコ玉が傾斜底壁部３０６に衝突する際の衝撃を吸収し、跳ね返り等を抑制するために、傾斜底壁部３０６の表面にゴムシート３０６ａが貼られている。
【００５７】
また、傾斜底壁部３０６における、側壁３０２ａ側である左端縁と整列通路底壁部３０７との境界部またはその近傍には、敷居部材３１０が設けられている。この敷居部材３１０の厚さは、上方から落下してきたパチンコ玉が敷居部材３１０に衝突した際、パチンコ玉が敷居部材３１０から跳ね返って玉箱３００の外部に飛び出さない程度に設定される。また、この敷居部材３１０の内側は曲率をもって構成されている。
【００５８】
ここで、下方傾斜角度である所定の角度αは、パチンコ玉の流下を確実にするための理由から、３度以上でることが好ましい。この敷居部材３１０を設けることで、傾斜底壁部３０６における、側壁３０２ａ側である左端縁と整列通路底壁部３０７との境界部またはその近傍から、直接整列通路底壁部３０７側にパチンコ玉が流れ落ちるのを抑制することができる。
【００５９】
整列通路底壁部３０７は、図１１に示すように、外部にパチンコ玉を排出するための開口である排出口３０８へパチンコ玉を整列させて導くものであり、側壁３０２ｂ側である右端縁から側壁３０２ａ側、すなわち排出口３０８に向かって所定の角度βで下方傾斜している。また、整列通路底壁部３０７には、パチンコ玉を２列に並べて流下させるための通路を形成する通路セパレータ３０９が、側壁３０２ｂ側から所定の距離を置いた位置から排出口３０８まで設けられている。この通路セパレータ３０９の高さは、落下してくるパチンコ玉が通路セパレータ３０９に衝突し跳ね返っても、玉箱３００の外にパチンコ玉が飛び出さない程度の高さで構成されることが好ましい。具体的は、通路セパレータ３０９の高さは、上方から落下してきたパチンコ玉が通路セパレータ３０９に衝突した際、パチンコ玉が通路セパレータ３０９から跳ね返って玉箱３００の外部に飛び出さない程度に設定される。なお、ここでは、通路セパレータ３０９によって２つの通路を形成する一例を示すが、通路は３つ以上構成されてもよい。
【００６０】
なお、後述する玉通路４００は、パチンコ玉を計数する計数部ではパチンコ玉が整列していないと正確に計数できないので、パチンコ玉を整列させる必要があるため、玉箱３００の側からパチンコ玉を整列させる構成を備えることが好ましい。玉通路４００内で整列させる構成を備える場合、玉通路４００内で玉詰りが発生すると、玉通路４００を分解して詰ったパチンコ玉を取り除く必要がある。そのため、上方が開口されて構成される玉箱３００において予めパチンコ玉を整列させる構成を備え、例えば、整列させる際にパチンコ玉が詰って流下しない場合、手でその詰りを取り除けるようにするのが好ましい。
【００６１】
また、通路セパレータ３０９によって区分された各流下通路３１１、３１２の一部であり、かつパチンコ玉に接触する部分には、導電部材３１３が設けられている。なお、流下通路３１１、３１２は、玉通路として機能する。この導電部材３１３は、パチンコ玉の流下の妨げとならないように設けられ、例えば、図１１に示すように、流下通路３１１、３１２の底面に設ける場合には、導電部材３１３が底面から突出しないように、導電部材３１３の表面が底面と同一平面上となるように設けられることが好ましい。また、導電部材３１３は、高さ調整ベースの内部を介して、後述する高さ調整ベース５００に設けられた導電部材５４０と電気的に接続する可撓性を有する接地用導電部材３１４の一端と接続されている。導電部材３１３によりアースすることでパチンコ玉の帯電状態を解放することができ、機器等に影響を与えることを防止することができる。
【００６２】
接地用導電部材３１４は、可撓性、さらには柔軟性を有する材料で構成されことが好ましく、具体的には、例えば、ゴムやゴム以外のエラストマーに導電性フィラーを混入させた導電性ゴム、導電性フィルム、導電性を有する繊維であるポリアクリロニトリル、ビッチなどの炭素繊維である導電性繊維などで構成される。また、導電性ゴムに混入される導電性フィラーとしては、銀、銅、ニッケル、アルミ、カーボンブラック、カーボンナノチューブなどが挙げられる。
【００６３】
また、導電部材３１３は、上記した接地用導電部材３１４と同じ材料でもよいし、または導電性塗料、導電性のある金属などを用いてもよい。また、接地用導電部材３１４は、遊技ホール毎で異なる膳板１０３の高さに対応して、高さ調整ベース５００で玉箱３００の高さがを調整する際、玉箱３００の設定される高さに応じて、撓んだり伸びたり、または自然長の状態で高さ調整ベース５００内に内在する。そのため、見栄えもよく、かつパチンコ機を移動の際の玉箱３００の動作よる、電線等のカシメ留めや半田付け部の欠損や脱落を考慮する必要がないので好ましい。
【００６４】
また、図９および図１１に示すように、流下通路３１１、３１２における大部分は、上方が開口された溝形状で構成され、流下通路３１１、３１２の下流端部側、すなわち排出口３０８側は、筒状形状で構成されている。この筒状形状で構成された下流端部において、パチンコ玉の流下方向に、流下通路断面が徐々に減少し、排出口３０８の近傍では、パチンコ玉１つが流下可能な断面にまで減少している。
【００６５】
また、図１１に示すように、流下通路断面を徐々に減少させるためのテーパ状に傾斜して設けられた筒状形状を構成する上壁面３１５に、上流側に向かって突出部３３１を突出させる突出機構３３０を備えてもよい。
【００６６】
突出機構３３０は、突出部３３１と、操作レバー３３２と、伝達部３３３とを備えている。また、突出機構３３０は、カバー３３４によって覆われている。突出部３３１は、棒状の部材で構成されている。また、上壁面３１５には、突出部３３１の一端側を突出させるための開口部３１６が形成されている。突出部３３１の他端部は、操作レバー３３２からの作動を伝達する棒状の伝達部３３３の一端と回動可能に接続されている。伝達部３３３の他端部は操作レバー３３２として機能し、カバー３３４から外に突出している。また、カバー３３４には、操作レバー３３２の動きをガイドするガイド部３３６が開口されている。また、伝達部３３３の中央は、回動可能に回転軸３３５によって支持されている。
【００６７】
例えば、操作レバー３３２をガイド部３３６に沿って左側に移動すると（図１１において点線で表示）、伝達部３３３が回転軸３３５を中心として回動し、開口部３１６から突出部３３１の一端側が突出する。さらに、操作レバー３３２をガイド部３３６に沿って図１１における右側に移動すると、伝達部３３３が回転軸３３５を中心として回動し、開口部３１６から突出部３３１の一端側が内部に収容される。例えば、図１１に示すように、パチンコ玉１つが流下可能な断面となる通路の直上流側において、パチンコ玉どうしが上方に積層して玉詰まり状態となっても、突出部３３１の一端側を突出させることで、上部に積層したパチンコ玉を上流側へ押し出すことにより、玉詰まり状態を回避することができる。また、筒状形状を構成する上壁面３１５を、流下通路断面が徐々に減少するようにテーパ状に傾斜させた構成においても、パチンコ玉どうしが上方に積層して玉詰まり状態となることを抑制する効果がある。
【００６８】
なお、突出機構３３０は、上記した構成に限られるものではなく、例えば、パチンコ玉の流下を阻止するための玉排出制御機構３４０の作動に連動して突出部３３１を作動するような構成にしてもよい。図１２は、玉排出制御機構３４０の作動に連動して作動する突出部３３１を備えた場合における図９のＢ−Ｂ断面を示す図である。
【００６９】
図１２に示すように、突出機構３３０を備えた玉排出制御機構３４０は、上記した突出機構３３０に加えて、当接部材３４１と、伝達部３４２とを備えている。当接部材３４１は、パチンコ玉の通路に一端を突出させてパチンコ玉に当接させることでパチンコ玉の流下を阻止するものであり、例えば、棒状または板状の部材などで構成される。伝達部３３３は、２本のアーム３４４ａ、３４４ｂを回動可能に直列に接合したもので構成される。アーム３４４ａの一端は、当接部材３４１の他端側に回動可能に接続され、アーム３４４ａの中央は、回動可能に回転軸３４５によって支持されている。アーム３４４ｂの一端は、伝達部３３３の中央部において伝達部３３３に接続されている。また、アーム３４４ｂは、上方からばね部材３４３によって支持されている。
【００７０】
例えば、操作レバー３３２をガイド部３３６に沿って左側に移動すると（図１２において点線で表示）、伝達部３３３が回転軸３３５を中心として回動し、開口部３１６から突出部３３１の一端側が突出するとともに、アーム３４４ａとアーム３４４ｂの連結部が下方に突出するように伝達部３３３が作動し、アーム３４４ａの一端が上昇して当接部材３４１を引き上げ、パチンコ玉が流下可能な状態となる。これによって、玉詰まりを解除しながらパチンコ玉を流下させることができる。さらに、操作レバー３３２をガイド部３３６に沿って図１２おける右側に移動すると、伝達部３３３が回転軸３３５を中心として回動し、開口部３１６から突出部３３１の一端側がカバー３３４の内部に収容されるとともに、アーム３４４ａとアーム３４４ｂの連結部が上方に突出するように伝達部３３３が作動し、アーム３４４ａの一端が下降して当接部材３４１を通路に突き出し、パチンコ玉が流下できない状態となる。
【００７１】
上記した傾斜底壁部３０６と整列通路底壁部３０７とを備える底壁３０１を有する玉箱３００において、パチンコ玉は、傾斜底壁部３０６を側壁３０２ａ側である左端縁から側壁３０２ｂ側である右端縁に向かって流れ、右端縁側から整列通路底壁部３０７に流れ、整列通路底壁部３０７の側壁３０２ｂ側である右端縁から排出口３０８に向かって流れる。すなわち、パチンコ玉は、底壁３０１をＵ字状（図９の矢印参照）に流れる。これによって、直接整列通路底壁部３０７に向かって流れ込むパチンコ玉の数が減少し、整列通路底壁部３０７においてパチンコ玉どうしが上方に積層した状態となることを抑制することができる。これによって、玉詰まりの発生を抑制することができる。
【００７２】
また、突出機構３３０や、突出機構３３０を備えた玉排出制御機構３４０を備え、上壁面３１５から上流側に向かって突出部３３１を突出させることで、玉詰まりが発生したときでも、容易に確実に玉詰まりの状態を解消することができる。また、玉排出制御機構３４０を備えることで、パチンコ玉の流下を阻止することができるので、例えば、玉箱３００を遊技客が持ち運ぶ際、排出口３０８からパチンコ玉が外部に排出されるのを防止することができる。
【００７３】
なお、玉排出制御機構を単体で構成してもよい。次に、図１３〜図１６を参照して、玉排出制御機構を単体で構成する場合について説明する。
【００７４】
図１３は、玉箱３００の排出口３０８の近傍の側面を示す平面図である。図１４は、図１３のＣ−Ｃ断面を示す図である。図１５は、図１３のＤ−Ｄ断面を示す図である。図１６は、挿入する側から見たときの挿入部材３６０の先端の構造を示す平面図である。
【００７５】
玉排出制御機構３５０は、パチンコ玉１つが流下可能な断面となる通路の、玉箱３００を設置した際に遊技客側となる側壁３５２に設けられた挿入口３５１と、この挿入口３５１から通路内に挿入され、流下するパチンコ玉と接触することでパチンコ玉の流下を阻止する挿入部材３６０とから構成される。
【００７６】
図１４〜図１６に示すように、挿入部材３６０は、Ｌ字状の棒状形状を有し、一方の辺が玉受部側通路を貫く長さに形成された本体部３６１と、挿入部材３６０を挿入口３５１に挿入する際に先端となる本体部の一方の辺の端部側の側面に設けられ、挿入部材３６０を挿入口３５１に挿入する際の挿入方向に対して垂直な方向に進退可能な突起部材３６２とを備えている。
【００７７】
本体部３６１を構成する棒状形状の部材は、特に限定されるものではないが、例えば金属部材、樹脂部材、木材などで構成することができる。また、本体部３６１の断面形状についても、特に限定されるものではないが、例えば円形、三角形、矩形、多角形、楕円形などに構成することができる。また、本体部３６１の先端を尖らせた状態に構成してもよい。突起部材３６２は、例えば、一端側が、挿入の際先端となる本体部の一方の辺の最端部に接着され、一方の辺の端部側の側面に沿って他端側を接着せずに自由端として設けた、く字状の部材で構成される。このく字状の部材は、その突出部が挿入方向に対して垂直な方向に進退可能に設けられている。この突起部材３６２は、例えば、板ばねなどで構成される。
【００７８】
挿入口３５１は、図１３および図１５に示すように、側壁３５２の外側面側から内側面側に向かって断面積が徐々に減少するテーパ状の開口で構成されている。また、挿入部材３６０を側壁３５２と対向する側壁３５３側へ貫通させるために、この挿入口３５１と同軸上となる通路セパレータ３０９および側壁３５３の位置に、それぞれ挿入口３５４、３５５が形成されている。
【００７９】
側壁３５２の内側面側の挿入口３５１の直径Ｄ１は、突起部材３６２が挿入方向に対して垂直な方向に突出している状態、すなわち挿入部材３６０を挿入口３５１に挿入する前の状態における、挿入部材３６０の先端側の最大幅Ｌ１よりも小さく形成される。これによって、挿入口３５１に挿入部材３６０を挿入する際、突起部材３６２は、挿入方向に対して垂直な方向の押圧を受け、その方向に潰れた状態で挿入される。通路セパレータ３０９に設けられた挿入口３５４の直径Ｄ２は、突起部材３６２をスムーズに通過させることができる程度に設定されることが好ましく、例えば、挿入部材３６０の先端側の最大幅Ｌ１よりも大きく構成してもよい。側壁３５３に設けられた挿入口３５５の直径Ｄ３は、突起部材３６２を貫通させた後、突起部材３６２が勝手に抜け落ちるのを防止するために、例えば、挿入部材３６０の先端側の最大幅Ｌ１よりも小さく形成されることが好ましい。なお、例えば、突起部材３６２をく字状の部材で構成する場合、挿入部材３６０を引き抜く際に、く字状の部材の自由端側の端部が各挿入口に引っかかるのを防止するために、各挿入口の最小直径は、く字状の部材の自由端を含む挿入部材３６０の幅Ｌ２よりも大きく設定することが好ましい。
【００８０】
また、図１３および図１４に示すように、玉箱３００を設置した際に遊技客側となる側壁３５２に、挿入部材３６０の先端を挿入口３５１に導くガイド溝３６３を設けてもよい。このガイド溝３６３の終端は、挿入口３５１と連通されている。挿入部材３６０を挿入する際、玉箱３００の側壁３５２を見なくても、手でガイド溝３６３を探し、このガイド溝３６３に沿って挿入部材３６０の先端をスライドさせることで、挿入部材３６０の先端を挿入口３５１に導くことができる。
【００８１】
上記した玉排出制御機構３５０を備え、挿入部材３６０を挿入口３５１に挿入し、側壁３５３に設けられた挿入口３５５に貫通させることで、流下してきたパチンコ玉が挿入部材３６０に当接し、パチンコ玉の流下を阻止することができる。また、玉排出制御機構３５０を備えることで、パチンコ玉の流下を阻止することができるので、例えば、玉箱３００を遊技客が持ち運ぶ際、排出口３０８からパチンコ玉が外部に排出されるのを防止することができる。
【００８２】
次に、図１７〜図１９を参照して、他の形態の玉箱３００の底壁３０１の構成について説明する。図１７は、玉箱３００の斜視図である。図１８は、玉箱３００を上方から見たときの平面図である。図１９は、他の底壁構成を有する玉箱３００を上方から見たときの平面図である。なお、上記した玉箱３００と同一の構成の部分には、同一の符号を付している。
【００８３】
この底壁３０１は、傾斜方向の異なる複数の底壁により複合的に形成された複合傾斜面を備えている。図１７よび図１８には、３つの底壁３７０、３７１、３７２により複合的に形成された複合傾斜面が形成されている。また、玉箱３００の排出口３０８付近には、パチンコ玉を排出口３０８に導くためのガイド部材３７３は立設されている。また、このガイド部材３７３は、底壁３７１上のパチンコ玉が直接排出口３０８側に向かって流下するのを防止する部材としても機能する。なお、ガイド部材３７３の一端部３７３ａと側壁３０３ｂとの間の間隔は、パチンコ玉の直径の４倍程度とした。また、ガイド部材３７３と側壁３０３ｂとの間の間隔は、一端部３７３ａから排出口３０８にかけて徐々に絞られて排出口付近ではパチンコ玉の直径の２．５倍程度に設定されている。
【００８４】
ここで、排出口３０８にパチンコ玉を集中させると、排出口３０８にかかるパチンコ玉の重圧が増加して玉詰りが発生しやすくなり、排出口３０８にかかる多数のパチンコ玉の重圧を極力低減するためには好ましくない。また、ガイド部材３７３の一端部３７３ａと側壁３０３ｂとの間の間隔をパチンコ玉の直径の２．５倍程度とし、その間隔で排出口３０８まで構成すると、ガイド部材３７３の一端部３７３ａにおいてパチンコ玉を集中し、その重圧によって玉詰りが発生しやすくなる。なお、実験の結果、ガイド部材３７３の一端部３７３ａと側壁３０３ｂとの間の間隔は、パチンコ玉の直径の４倍程度とし、一端部３７３ａから排出口３０８にかけて徐々に絞り排出口付近におけるガイド部材３７３と側壁３０３ｂとの間の間隔をパチンコ玉の直径の２．５倍程度に設定することが、最も玉詰りを防止できることを確認している。
【００８５】
ここで、底壁３７０は、側壁３０２ｂ側である右端縁から側壁３０２ａ側である右端縁の排出口３０８に向かって３度の傾斜（パチンコ玉が流下可能でありかつ玉箱３００の容量を最大とするための最小傾斜角）で下方傾斜している。底壁３７１は、側壁３０２ａ側である左端縁から側壁３０２ｂ側である右端縁に向かって３度の下方傾斜している。底壁３７２は、側壁３０３ａ側である前端縁から側壁３０３ｂ側である後端縁に向かって３度の下方傾斜している。また、底壁３７１と底壁３７２との間、底壁３７０と底壁３７２との間は谷部となっている。また各谷部の下方端部の位置が、ガイド部材３７３の一端部３７３ａの近傍となるように構成されている。
【００８６】
また、図１９に示すように、底壁３７２に、側壁３０３ａ側である前端縁から谷部の下方端部に向かって上方に突出した峰部３７２ｃを形成してもよい。これによって、底壁３７２は、峰部３７２ｃを境に、底壁３７１側へ傾斜する傾斜面３７２ａと底壁３７０側へ傾斜する傾斜面３７２ｂとを備える。
【００８７】
上記した底壁３０１の構成とすることで、パチンコ玉が、直接玉箱３００の排出口３０８に向かって流下するのを抑制することができ、排出口３０８近傍におけるパチンコ玉の玉詰まりを抑制することができる。さらに、傾斜方向の異なる複数の底壁により複合的に形成された複合傾斜面を備えていることで、パチンコ玉が流下する方向ベクトルをさらに多方向に分散させながら、排出口３０８に導くことができるので、パチンコ玉が集中して排出口３０８に供給されることを抑制することができる。これによって、排出口３０８近傍におけるパチンコ玉の玉詰まりを抑制することができる。また、傾斜方向の異なる複数の底壁により複合的に形成された複合傾斜面を備えていることで、玉箱３００の収容部３０４の容積を増加することができ、収容可能なパチンコ玉の数を増加することができる。
【００８８】
（高さ調整ベース５００）
次に、高さ調整ベース５００について説明する。図２０は、玉箱３００および高さ調整ベース５００の斜視図である。図２１は、玉箱３００を高さ調整ベース５００に設置した状態における、図２０のＥ−Ｅ断面を示す図である。図２２は、高さ調整ベース５００を下方（設置ベース４５０に接触する側）から見たときの平面図である。図２３は、高さ調整ベース５００を備えた玉箱３００が、設置ベース４５０上に設置された状態を示す斜視図である。
【００８９】
高さ調整ベース５００は、玉箱部材の一部を構成し、設置ベース４５０と玉箱３００との間に配置され、玉箱３００を設置ベース４５０に対して略水平状態を維持した状態で上下方向の玉箱３００の位置調節を可能とするものである。図２０および図２１に示すように、高さ調整ベース５００は、上端および下端が開口した箱状の形状を有し、箱状の形状は、それぞれ対向する２組の側壁５１０ａ、５１０ｂ、５１１ａ、５１１ｂから構成されている。また、機械的強度を向上させるため、高さ調整ベース５００には、例えば、補強部材５１２を側壁５１０ａ、５１０ｂに平行および垂直な方向に備えている。また、この高さ調整ベース５００は、玉箱３００の下端の開口から玉箱３００の下部に設けられた空間に挿入されるため、高さ調整ベース５００の形状は、玉箱３００の下部に設けられた空間の形状に対応している。
【００９０】
高さ調整ベース５００の側壁５１０ａおよび側壁５１０ｂには、玉箱３００の下部の空間を形成する一対の側壁３８０ａ、３８０ｂに形成された溝部３８１に嵌合する突起部５２１を備える嵌合部５２０が構成されている。これら互いに嵌合する突起部５２１および溝部３８１の複数（この実施の形態では４箇所）の組み合わせは、固定機構として機能し、玉箱３００に対する上方および横方向からの負荷を複数の固定機構で支持する。なお、玉箱３００の一対の側壁３８０ａ、３８０ｂには、複数段階に玉箱３００の高さを調整するために、複数の溝部３８１が上下方向に形成されているが、側壁３８０ａと側壁３８０ｂとの対応する溝部３８１どうしは設置ベース４５０に対して水平となるように設けられている。したがって、玉箱３００を設置ベース４５０に対して略水平状態を維持した状態で上下方向の玉箱３００の位置調節が可能となる。突起部５２１は、側壁５１０ａ、５１０ｂに縦方向に切れ目を入れて、側壁５１０ａ、５１０ｂに対して垂直な方向に変形可能とした分割部５２２に設けられている。また、この分割部５２２には、側壁５１０ａ、５１０ｂに対して垂直な方向に分割部５２２を変形するためのコ字状の操作部５２３が設けられる。この操作部５２３は、玉箱３００の側壁３８０ａ、３８０ｂに形成された溝部３８１に嵌合する突起部５２１の嵌合を解除する解除機構として機能する。図２２に示すように、高さ調整ベース５００の下端の開口から操作部５２３を操作することができるので、玉箱３００を取り付けた状態においても操作部５２３を操作することができる。
【００９１】
例えば側壁５１０ａ側の嵌合部５２０の場合には、この操作部５２３を右方向（図２０の矢印参照）に引っ張ることで、玉箱３００の側壁３８０ａに形成された溝部３８１に嵌合した突起部５２１の嵌合状態を解除することができる。また、例えば側壁５１０ｂ側の嵌合部５２０の場合には、この操作部５２３を左方向（図２０の矢印参照）に引っ張ることで、玉箱３００の側壁３８０ｂに形成された溝部３８１に嵌合した突起部５２１の嵌合状態を解除することができる。すなわち、操作部５２３を高さ調整ベース５００の中央側へ引っ張ることで、嵌合状態が解除され、玉箱３００の下部の空間における高さ調整ベース５００の移動や、高さ調整ベース５００の取り外しをすることができる。また、分割部５２２の突起部５２１を、玉箱３００の側壁３８０ａ、３８０ｂに形成された溝部３８１に嵌合させて、玉箱３００を高さ調整ベース５００に取り付けているため、例えば玉箱３００に下方に向かって遊技客などが力をかけた場合でも、嵌合状態が解除されることなく、設定された位置に玉箱３００を保持することができる。
【００９２】
なお、操作部５２３の間隔幅は、高さ調整ベース５００における玉箱３００の取り付けた反対側の下面から、左右に配置された操作部５２３のそれぞれを片手で親指と他の指に引っ掛けられる程度に設定される。このように、片手で操作部５２３それぞれを片手で親指と他の指に引っ掛けて玉箱３００を移動することで、容易に玉箱３００の高さ調整をすることができる。
【００９３】
また、高さ調整ベース５００の側壁５１０ａ、５１０ｂの下端部の端縁に沿って、外側に突出して設けられた平板部材からなるガイド部５１３が設けられている。図２３に示すように、このガイド部５１３は、玉箱３００、すなわち高さ調整ベース５００を設置ベース４５０上に設置する際に、設置ベース４５０のガイド溝４５３に係合させて、天板短手方向にスライドさせるためのものである。これによって、所定の位置に玉箱３００を設置することができる。
【００９４】
なお、高さ調整ベース５００は、立方体または直方体の形状を有するものを例示したが、これに限らず、高さ調整ベース５００の形状は、円柱、三角柱、五角柱、六角柱などの柱状形状物で構成してもよい。これら柱状形状物は、上部と下部の水平断面積が等しいので、強度的に上方または横方向からの負荷に対しさらに耐久力を増大できる。また、例えば、これら柱状形状物の側面または玉箱３００の側面に、水平位置が同じとなる、上下方向に複数のオスまたはメスからなる嵌合部を設けてもよい。これによって、それぞれ相手方の水平位置が同じとなる、上下方向に１つのメスまたはオスを設けて嵌め合わせが可能となり、さらに水平位置の異なる複数の固定機構を備えるように構成すれば、簡易な構成による複数の固定機構によってさらに耐久力を増大できる。また、玉箱３００をこれら柱状形状物に外側から覆うように上記複数の固定機構によって固定されるように構成してもよいし、玉箱３００をこれら柱状形状物の内側に挿入して上記複数の固定機構によって固定されるように構成してもよい。
【００９５】
また、図２２に示すように、高さ調整ベース５００の下端側には、設置ベース４５０に設けられた位置決め部材４５４に嵌合し、天板短手方向の位置決めを行うための位置決め部材５３０が設けられている。さらに、高さ調整ベース５００の下端側には、設置ベース４５０の上面から突出して設けられたアース部材４５５に当接して玉箱３００内で発生した静電気などをアースする導電部材５４０が設けられている。この導電部材５４０は、図２２に示すように、両端部が高さ調整ベース５００に固定されている。また、導電部材５４０の中央部５４０ａ、すなわち設置ベース４５０のアース部材４５５に当接する部分がアース部材４５５に当接する際、当接方向に撓むことができるように、中央部に対応する位置における高さ調整ベース５００の構成部材に開口部５４１が形成されている。導電部材５４０の中央部５４０ａが当接方向に撓むことで、設置ベース４５０のアース部材４５５と密接に当接させることができ、当接不良などの発生を抑制することができる。すなわち、開口部５４１（嵌入部）にアース部材４５５（アース部）が導電部材５４０の弾性を利用してしっかりと嵌入されることで確実な接続が得られるとともに、この導電部材５４０を介して位置決め部材５３０の点と開口部５４１の点の複数の点で設置ベース４５０に高さ調整ベース５００が嵌合留めされるので安定した位置ズレのない設置ができる。また、導電部材５４０として、前述した接地用導電部材３１４と同様のものが利用可能であり、同一の材料で接地用導電部材３１４の一端部としてもよい。
【００９６】
また、導電部材５４０は、玉箱３００の流下通路３１１、３１２の一部に設けられた導電部材３１３と一端が電気的に接続された接地用導電部材３１４の他端と電気的に接続されている。また、接地用導電部材３１４は、高さ調整ベースの内部を介して導電部材５４０に接続されている。接地用導電部材３１４は、導電性ゴムなどの可撓性、さらには柔軟性を有する材料で構成されるので、玉箱３００の上下の移動に対しても追従して撓んだり伸びたりすることができ、断線などの発生を防止することができる。また、接地用導電部材３１４は、高さ調整ベースの内部を介して、流下通路３１１、３１２の一部に設けられた導電部材３１３と導電部材５４０とを接続するので、外部から見えず、遊技客にいたずらされるのを防止することができる。
【００９７】
上記したように、高さ調整ベース５００を備えることで、例えば、天板１０４に対して、パチンコ機２や台間機３、４を設置する膳板１０３の高さが遊技ホールによって異なる場合であっても、玉箱３００の高さを調整することができる。これによって、天板１０４に対して膳板１０３の高さが遊技ホールによって異なる場合であっても、適宜対応することができ、玉箱３００の排出口３０８から玉通路４００にパチンコ玉を流下させることができる。
【００９８】
（玉通路４００）
次に、玉通路４００について説明する。図２４は、玉通路４００の斜視図である。図２５は、玉箱３００の排出口３０８に対向して設けられた玉通路４００の側面を示す図である。図２６は、玉箱３００の排出口３０８および玉通路４００の、パチンコ玉の流下方向に沿う断面を示す図である。
【００９９】
玉通路４００は、玉箱部材の一部を構成し、玉箱３００の排出口３０８から排出されたパチンコ玉をパチンコ機２に隣接して設置された台間機３、４へ導く通路である。図２４に示すように、この玉通路４００は、Ｌ形形状を有する管状の一体成形部材で構成され、一端部、すなわちパチンコ玉の入り口４０１が、玉箱３００の排出口３０８に対向して、それぞれが嵌合、歯合、または螺合などのような接合状態でない、非接合の当接状態（軽く当接した状態）またはパチンコ玉が流下可能な非接合の隙間を持って非接合状態に配置されている。このように非接合状態とすることで遊技客が玉箱３００を持って台移動する際、玉箱３００を玉通路４００から取り外す手間がないので、従来のような取外す手間を怠った遊技客が誤って玉箱３００を落としてしまうこともない。
【０１００】
なお、ここでは、玉箱３００において、通路セパレータ３０９によってパチンコ玉を２列に並べて流下させ排出するための通路を形成しているので、その２つの通路に対応させて玉通路４００においても通路セパレータ４０２によって通路を区分して２つの通路を形成している。また、通路セパレータ４０２は、玉通路４００の入り口４０１から出口４０３に亘って設けられている。また、玉通路４００は、パチンコ玉を流下可能なように、玉通路４００の入り口４０１から出口４０３に向かって流路が下方傾斜するように配置される。
【０１０１】
また、玉通路４００は、パチンコ玉を計数する計数部ではパチンコ玉が整列していないと正確に計数できないので、パチンコ玉を整列させる必要があるため、玉箱３００の側からパチンコ玉を整列させる構成を備えることが好ましい。玉通路４００内で整列させる構成を備える場合、玉通路４００内で玉詰りが発生すると、玉通路４００を分解して詰ったパチンコ玉を取り除く必要がある。そのため、上方が開口されて構成される玉箱３００において予めパチンコ玉を整列させる構成を備え、例えば、整列させる際にパチンコ玉が詰って流下しない場合、手でその詰りを取り除けるようにするのが好ましい。
【０１０２】
また、玉通路４００の一端部は、回転軸４０４を中心に玉箱３００の排出口３０８に対して略水平方向（図２４の矢印の方向）に回動可能に設けられている。また、玉通路４００の入り口４０１の下面には、玉箱３００の排出口３０８の下面に、玉通路４００の入り口４０１に向かって突出して設けられた突出部材３９０（例えば、図９参照）と当接させるための突出部材４０５が設けられている。高さ調整ベース５００を備えた玉箱３００を天板短手方向にスライドさせて設置ベース４５０に設置する際、玉箱３００の突出部材３９０のパチンコ機側の側面と、玉通路４００の突出部材４０５の遊技客側となる側面とが当接し、回動可能に構成された玉通路４００の一端部を所定の位置に移動させる。換言すると、玉通路４００の入り口４０１が、玉箱３００の排出口３０８に対向する位置に移動される。これによって、玉箱３００の通路セパレータ３０９によって区分された２つの通路の出口に対応するように、玉通路４００の通路セパレータ４０２によって区分された２つの通路の入り口を位置させることができる。なお、回転軸４０４を中心に入り口４０１が遊技客側に付勢されており、突出部材４０５と突出部材３９０とが安定して当接する構成となっている。
【０１０３】
また、玉通路４００の入り口側の端面と、この端面に対向して配置される玉箱３００の排出口３０８の端面との距離は、パチンコ玉の直径よりも短くなるように構成されている。また、玉箱３００の排出口３０８から玉通路４００の入り口４０１にパチンコ玉がスムーズに流れるように、可能な限り玉箱３００の排出口３０８と玉通路４００の入り口４０１との距離を短くすることが好ましい。
【０１０４】
また、玉通路４００の出口４０３側は、台間機３、４の玉通路挿入口３ｉ、４ｉに玉通路４００の他端側を挿入して装着するための装着部４０６が形成されている。この装着部４０６は、台間機３、４の玉通路挿入口３ｉ、４ｉの形状に対応させて形成されている。また、装着部４０６には、玉通路４００の台間機３、４からの離脱を阻止するために台間機３、４に設けられた離脱阻止機構７２０と着脱可能に係合するための開口部４０８が設けられている。
【０１０５】
なお、後述する台間機３、４の側面に設けられた操作部７２４を操作することで、離脱阻止機構７２０の係合状態を解除することができる。また、装着部４０６には、後述する台間機３、４に設けられたパチンコ玉の数を計数する計数部７４０にパチンコ玉が流下するのを停止させる玉流下停止機構７３０の当接部材７３１を玉通路４００内に突出させるための開口部４０９が設けられている。この開口部４０９は、当接部材７３１を玉通路４００内に突出させた状態で玉通路４００を引き抜いて離脱可能なように、玉通路４００の出口に至るまで開口した形状に形成されることが好ましい。また、天板１０４上には、玉通路４００の一部を指示する支持部材４０７を設けてもよい。
【０１０６】
上記したように、玉通路４００において、一端部を玉箱３００の排出口３０８に対して略水平方向（図２４の矢印の方向）に回動可能に設けることで、例えば、施工上のばらつきを吸収し、玉通路４００の入り口４０１を、玉箱３００の排出口３０８に対向して配置することができる。さらに、玉通路４００の入り口４０１の下面に設けられた突出部材４０５と、玉箱３００の排出口３０８の下面に設けられた突出部材３９０とを当接させることで、玉通路４００の一端部の位置合わせを行うことができる。これによって、玉通路４００の入り口４０１を、玉箱３００の排出口３０８に対向して配置することができる。
【０１０７】
また、玉通路４００と玉箱３００とを分離して構成し、玉通路４００の入り口４０１と、玉箱３００の排出口３０８とを接続せずに、対向させて配置する構成とすることで、高さ調整ベース５００を備えた玉箱３００のみを容易に取り外すことができる。さらに、高さ調整ベース５００を備えた玉箱３００を設置ベース４５０に容易に取り付けることができる。また、玉通路４００をＬ字状に構成することで、玉通路４００の機械的強度を増加させることができる。
【０１０８】
（台間機３、４）
次に、上記した本発明に係る玉箱部材を備えた台間機３、４について説明する。
【０１０９】
図２７Ａは、台間機３（ユニット）を正面から見た平面図である。図２７Ｂは、台間機４（サンド）を正面から見た平面図である。図２８は、台間機３、４の内部構成を模式的に示した図である。
【０１１０】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、サンドのノズルよりパチンコ機２の上皿へ供給される。
【０１１１】
また、各台間機３、４には、カード挿入口３ａ、４ａ、貸玉ボタン３ｂ、４ｂ（遊技機に貸玉ボタンを有しているので台間機３（ユニット）にはない場合もある。）、再プレー用貸玉ボタン３ｃ、４ｃ、返却ボタン３ｄ、４ｄ、表示部３ｅ、４ｅ、ランプ３ｆ、４ｆ、カード回収部３ｇ、４ｇ、紙幣挿入口３ｈ、４ｈ、玉通路挿入口３ｉ、４ｉなどが設けられている。
【０１１２】
なお、支持部材７００の下側には支持部材７００を回転軸として回転する下蓋を設け、パチンコ玉が台間機３、４の玉通路に内在する際には下蓋が開いてパチンコ玉が転がり出るように構成してもよい。さらに、支持部材７００の上側にも上蓋を備え、上蓋を閉じれば、玉通路４００を取り外した状態でも営業もできるように構成してもよい。また、玉通路４００を設けない営業の場合、上蓋と下蓋は、双方遊技客がいじっても開かないよう固定可能としてもよい。
【０１１３】
また、図２８に示すように、台間機３、４内には、制御部６５０、カード処理機６５１、電源回路６５２、計数処理部６５３、貯留機構付き紙幣識別装置（ビルバリ）６５４などが設置されている。
【０１１４】
カード処理機６５１は、カード挿入口３ａ、４ａから挿入された会員用ＩＣカードまたは非会員用ＩＣカードを搬送手段によって所定の位置に移動し、会員用ＩＣカードまたは非会員用ＩＣカードからＩＤなどの情報を読み取るものであり、例えば、リーダライタなどで構成される。また、カード処理機６５１は、カード処理機６５１内に設けられた度数が「０」となった非会員用ＩＣカードを貯留するカード貯留部（図示しない）から非会員用ＩＣカードを取り出し、例えば、ＩＤなどを記憶させてカード挿入口３ａ、４ａから再発行することもできる。
【０１１５】
ここで、１枚の会員用ＩＣカードまたは非会員用ＩＣカードがカード挿入口３ａ、４ａから挿入されると、例えば、ソレノイドなどの機械的なカード挿入防止手段（図示しない）によって、カード挿入口３ａ、４ａが封鎖されるので、他の会員用ＩＣカードまたは非会員用ＩＣカードを挿入することはできなくなる。これによって、複数の会員用ＩＣカードまたは非会員用ＩＣカードがカード挿入口３ａ、４ａに挿入されることで生じるカード詰りなどを防止することができる。また、ソレノイドなどの機械的なカード挿入防止手段を用いずに、他の方法でカード詰りなどを防止してもよい。
【０１１６】
貸玉ボタン３ｂ、４ｂは、遊技客がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、５００円単位で行われる。
【０１１７】
再プレー用貸玉ボタン３ｃ、４ｃは、再プレー受付機１２において再プレー手続が行われた会員用ＩＣカード使用時にのみ利用され、再プレー用に利用することができるパチンコ玉を貸し出しするときに押される。
【０１１８】
表示部３ｅ、４ｅは、それぞれ台間機３、４の動作に伴う所定の情報の表示などを行う表示手段である。台間機３、４の動作に伴う情報表示としては、例えば、度数などを表示する。これによって、度数を確認でき、入金のタイミングを図ることができる。また、表示部３ｅ、４ｅには、度数以外の情報を表示してもよい。
【０１１９】
ランプ３ｆ、４ｆは、遊技している遊技客が、会員または非会員なのかを視覚的に識別するためのもので、例えば、会員の場合は赤色、非会員の場合は青色が発光する。
【０１２０】
カード回収部３ｇ、４ｇは、カード処理機６５１の非会員用ＩＣカードを貯留するカード貯留部において、非会員用ＩＣカードの貯留限度量に達した場合に、非会員用ＩＣカードを回収するものである。例えば、カード貯留部に貯留された非会員用ＩＣカードが満杯となった際に、貯留された非会員用ＩＣカードの一部をカード貯留部に設けられたカード排出部に導いて落下させ、カード回収部３ｇ、４ｇに回収する。カード回収部３ｇ、４ｇに回収された非会員用ＩＣカードは、店員などによって、例えば、営業終了後などに回収される。
【０１２１】
玉通路挿入口３ｉ、４ｉは、玉通路４００の装着部４０６を挿入し、玉通路４００を台間機３、４に装着するための開口である。
【０１２２】
制御部６５０は、台間機３、４内の各構成機器の制御、台間機３、４以外の、例えば、島コンピュータ７などとの情報通信を行うものであり、インターフェース回路６５０ａ、ＣＰＵ６５０ｂ、ＲＯＭ６５０ｃ、ＲＡＭ６５０ｄから主に構成される。
【０１２３】
電源回路６５２は、台間機３、４内の各構成機器を駆動するための電力を各構成機器に供給するものである。
【０１２４】
計数処理部６５３は、玉通路挿入口３ｉ、４ｉに挿入された玉通路４００を介して導入されたパチンコ玉の数を計数処理するものである。
【０１２５】
貯留機構付き紙幣識別装置（ビルバリ）６５４は、紙幣挿入口３ｈ、４ｈから挿入される紙幣に対応できるコンパクトサイズの紙幣識別機であり、台間機３、４および島コンピュータ７と情報通信ができるように接続されている。なお、貯留機構付き紙幣識別装置（ビルバリ）６５４は、所定の紙幣のみ、例えば千円札のみを受け付けるようにすることもできる。
【０１２６】
次に、玉通路４００を介して台間機３、４内に導入されたパチンコ玉の数を計数する計数部（計数処理部６５３）の構成について説明する。
【０１２７】
図２９は、玉通路４００が玉通路挿入口３ｉ、４ｉに挿入された状態の台間機３、４の断面の一部を示す図である。図３０は、玉通路４００が取り外された後の台間機３、４の断面の一部を示す図である。図３１は、上方から上壁７０２を見たときの平面図である。図３２は、他の構成を示す上方から上壁７０２を見たときの平面図である。
【０１２８】
図２９および図３０に示すように、玉通路挿入口３ｉ、４ｉには、挿入する玉通路４００を下方から支持する支持部材７００が、この支持部材７００と玉通路挿入口３ｉ、４ｉの上端縁７０１ａとの間の距離が、玉通路４００を挿入可能な距離、すなわち玉通路４００の高さよりも若干長くなるように配置されている。一方、支持部材７００の下方と玉通路挿入口３ｉ、４ｉの下端縁７０１ｂとの間は、パチンコ玉が通過できる程度に開口されている。台間機３、４に玉通路４００を設置した状態では、玉通路４００は、玉通路４００の入り口側から出口側に向かって徐々に下方傾斜した状態となる。すなわち、玉通路４００は、玉通路４００の入り口側から出口側に向かって、パチンコ玉を流下可能な状態に設置される。
【０１２９】
また、玉通路挿入口３ｉ、４ｉの上端縁７０１ａから台間機３、４の奥行方向に向かって徐々に下方傾斜する上壁７０２が設けられている。玉通路挿入口３ｉ、４ｉに挿入された玉通路４００の装着部４０６は、支持部材７００に下方から支持されながら上壁７０２に沿って奥行方向に挿入される。そして、装着部４０６と玉通路４００の本体との境界の段差に台間機３、４および支持部材７００の正面側の面が当接することで、装着部４０６の奥行方向への挿入が停止される。なお、装着部４０６は、下方傾斜した状態に設置される。
【０１３０】
また、上壁７０２には、玉通路４００の台間機３、４からの離脱を阻止するための離脱阻止機構７２０が設けられ、さらに奥行方向に進んだ位置にパチンコ玉が流下するのを停止させる玉流下停止機構７３０が設けられている。
【０１３１】
玉通路４００の装着部４０６を玉通路挿入口３ｉ、４ｉへ挿入し、奥行方向に進めて固定された状態では、図２９に示すように、離脱阻止機構７２０は、開口部４０８に係合した状態となる。
【０１３２】
また、玉通路４００の装着部４０６の先端、すなわち玉通路４００の出口４０３の直下流側に、パチンコ玉の数を計数する計数部７４０が設けられている。
【０１３３】
また、図２９および図３０に示すように、玉通路４００の装着部４０６が配置される下方の台間機３、４の底面は、計数部７４０の直上流側から台間機３、４の正面側に向かって下方傾斜する傾斜壁７０５で構成されている。
【０１３４】
ここで、離脱阻止機構７２０の一例について説明する。
【０１３５】
図２９〜図３１に示すように、離脱阻止機構７２０は、一端側が上壁７０２に回転軸７２２によって回動可能に固定され、他端側が、上壁７０２にばねなどの弾性体７２３によって固定され、他端側に玉通路４００の開口部４０８に係合する係合突起７２１ａを備えた係合突起部材７２１と、この係合突起部材７２１の他端側の側面に設けられ、台間機３、４の側面から外部に突出された操作部７２４とを備えている。係合突起７２１ａは、台間機３、４の正面側から奥行側にその断面積を減少させてテーパ状に傾斜した形状とすることが好ましい。係合突起７２１ａをテーパ状の形状とすることで、玉通路挿入口３ｉ、４ｉに装着部４０６を挿入する際、係合突起７２１ａが、玉流下停止機構７３０を玉通路４００内に突出させるための開口部４０９に突出しても、さらに装着部４０６を挿入することで、その係合状態を回避しやすくなる。
【０１３６】
また、台間機３、４の側面には、操作部７２４を突出するための開口部７０３が設けられている。また、図３１に示すように、開口部７０３が形成される部分の側面を、台間機内部に窪んだ側面７０４とすることが好ましい。これによって、操作部７２４の先端が台間機３、４の側面から外部に突出することがない。
【０１３７】
また、離脱阻止機構７２０および玉流下停止機構７３０の配置位置は、図３１に示すような、離脱阻止機構７２０と玉流下停止機構７３０とが、玉通路挿入口３ｉ、４ｉへの挿入方向に対して同一直線上となるように上壁７０２に配置される構成に限られない。例えば、図３２に示すように、玉通路挿入口３ｉ、４ｉへの挿入方向に対して、垂直な方向にずらした位置に離脱阻止機構７２０と玉流下停止機構７３０とを設置してもよい。この場合、図３２に示すように、離脱阻止機構７２０を台間機３、４の側面に近い位置に配置することで、操作部７２４を短くすることができ、係合突起７２１ａの係合を解除する際の操作部７２４の移動量を減少させることができる。なお、この場合には、離脱阻止機構７２０および玉流下停止機構７３０が配置される位置に対応して、装着部４０６に開口部４０８、４０９が形成される。
【０１３８】
ここで、離脱阻止機構７２０の動作について説明する。
【０１３９】
離脱阻止機構７２０の他端側は、弾性体７２３によって下方向に引っ張られ、玉通路４００の装着部４０６の開口部４０８が所定の位置にきたときに、係合突起７２１ａが開口部４０８に係合する。この状態では、玉通路４００の装着部４０６を玉通路挿入口３ｉ、４ｉから引き抜くことはできず、すなわち玉通路４００を台間機３、４から離脱することはできない。
【０１４０】
一方、操作部７２４を上方に持ち上げることで、係合突起７２１ａの開口部４０８との係合が解除され、玉通路４００の装着部４０６を玉通路挿入口３ｉ、４ｉから引き抜くこと、すなわち玉通路４００を台間機３、４から離脱することができる。
【０１４１】
ここで、上記したように、操作部７２４は、台間機３、４の側面に設けられているため、操作部７２４を操作する際には、店員等が、操作部７２４を操作できる位置まで台間機３、４を手前に引き出し、離脱阻止機構７２０の解除を行う。これによって、例えば遊技客が勝手に玉通路４００を台間機３、４から取り外すことを防止することができる。
【０１４２】
次に、玉流下停止機構７３０の一例について説明する。
【０１４３】
玉流下停止機構７３０は、上記したように、計数部７４０の直上流に設けられ、パチンコ玉の流下を停止するものであり、例えば、ソレノイドなどで構成される。例えば、正常時に通電がなされ、当接部材７３１を内部に収容してパチンコ玉の流下を可能とし、異常時に通電が遮断され、当接部材７３１を玉通路４００の装着部４０６内部に突出させ、パチンコ玉の流下を停止させる。例えば、異常時として、停電時などが挙げられる。また、カード処理機６５１において、会員用ＩＣカードまたは非会員用ＩＣカードが挿入されていないことが検知されている場合には、ＩＤ等の遊技客を特定するための情報が得られないため、玉流下停止機構７３０を異常時と同様の状態、すなわち当接部材７３１を玉通路４００の装着部４０６内部に突出させた状態として、計数部７４０にパチンコ玉が流下できないように設定してもよい。
【０１４４】
次に、計数部７４０の一例について説明する。
【０１４５】
計数部７４０は、通過するパチンコ玉の数を計数するもので、例えば、パチンコ玉を検知する検知センサなどで構成される。検知センサとして、例えば、非接点式のセンサなどが用いられ、パチンコ玉の検知によるカウント信号は、１個のパチンコ玉の通過を確認する毎に１パルスの電気信号を発する。また、カウント信号として、光を用いてもよい。この計数部７４０で検知した情報は、管理装置１３に出力される。この際、検知センサの検知情報を、例えば、島コンピュータ７を介して直接管理装置１３に出力してもよいし、台間機３、４などの制御部に一旦出力後、島コンピュータ７を介して管理装置１３に出力してもよい。管理装置１３では、例えば、会員用ＩＣカードや非会員用ＩＣカードのＩＤに基づいて、少なくとも台間機３、４におけるパチンコ玉の貸し出しに係る情報を集計および管理する。
【０１４６】
図２９に示す、玉通路４００を台間機３、４に装着した状態では、玉箱３００の排出口３０８から排出され、玉通路４００を流下し、装着部４０６内を通り、玉通路４００の出口４０３から流下したパチンコ玉は、計数部７４０を通過することで、パチンコ玉の数がカウントされる。なお、計数されたパチンコ玉は、図４に示す、台間機３、４の裏面に設けられた排出パイプ２１８から排出樋２１４に排出され、回収される。
【０１４７】
次に、玉通路４００を台間機３、４から離脱する際の動作について説明する。
【０１４８】
上記したように、店員が操作部７２４を操作できる位置まで台間機３、４を手前に引き出し、離脱阻止機構７２０の解除を行うと、台間機３、４から玉通路４００を引き抜くことができる。例えば、異常時において、台間機３、４から玉通路４００を引き抜く場合、玉流下停止機構７３０の当接部材７３１は、装着部４０６内部に突出し、パチンコ玉が流下できない状態となっている。この状態で、玉通路４００を引き抜くと、玉通路４００内のパチンコ玉は、計数部７４０に流下することなく、傾斜壁７０５を流下し、台間機３、４の正面の開口から外部に排出される。すなわち、異常時においても、玉通路４００内のパチンコ玉を計数せずに回収することがなく、台間機３、４の正面の開口から遊技客側に排出することができる。なお、上記したように、玉通路４００開口部４０９は、玉通路４００の出口に至るまで開口した形状に形成されているので、当接部材７３１が突出した状態でも玉通路４００を引き抜くことができる。
【０１４９】
上記したように、本発明に係る玉箱部材を備えた台間機３、４では、異常時において、玉通路４００内のパチンコ玉を計数せずに回収することがなく、台間機３、４の正面の開口から遊技客側に排出することができる。また、玉流下停止機構７３０を計数部７４０の直上流に設けることで、異常時となったときでも、直ちに、当接部材７３１を玉通路４００の装着部４０６内部に突出させ、パチンコ玉の流下を停止させることができるので、計数されずに回収されるパチンコ玉を最小限に抑えることができる。
【０１５０】
なお、ここでは、本発明に係る玉箱部材を備え、さらに内部に計数部を備えた台間機３、４を一例として説明したが、この構成に限られるものではない。例えば、台間機の下方に台間機とは別体で計数機を備えた構成でもよい。この場合には、上記した本発明に係る玉箱部材は、この計数機に備えられる。この計数機で検知した情報は、管理装置１３に出力される。この際、計数機における検知情報を、例えば、島コンピュータ７を介して直接管理装置１３に出力してもよいし、台間機３、４などの制御部に一旦出力後、島コンピュータ７を介して管理装置１３に出力してもよい。管理装置１３では、例えば、会員用ＩＣカードや非会員用ＩＣカードのＩＤに基づいて、少なくとも計数機におけるパチンコ玉の計数に係る情報を集計および管理する。この本発明に係る玉箱部材を備えた計数機においても、前述した台間機３、４と同様の作用効果が得られる。
【図面の簡単な説明】
【０１５１】
【図１】遊技処理システム１の概要を示す図。
【図２】パチンコ機を複数並設してなるパチンコ島を示す斜視図。
【図３】図２に示したパチンコ島における、パチンコ機の遊技において使用される台間機を取り除いた状態のパチンコ機の側面図。
【図４】図２に示したパチンコ島における、パチンコ機の遊技において使用される台間機を取り付けた状態のパチンコ機の側面図。
【図５】天板上に設置された設置ベースを示す斜視図。
【図６】天板上の所定の位置に設置ベースを配置するための設置用冶具の構成を示す斜視図。
【図７】設置用冶具を用いて設置ベースを配置する様子を示す平面図。
【図８】玉箱の斜視図。
【図９】玉箱を上方から見たときの平面図。
【図１０】図９のＡ−Ａ断面を示す図。
【図１１】図９のＢ−Ｂ断面を示す図。
【図１２】玉排出制御機構の作動に連動して作動する突出部を備えた場合における図９のＢ−Ｂ断面を示す図。
【図１３】玉箱の排出口の近傍の側面を示す平面図。
【図１４】図１３のＣ−Ｃ断面を示す図。
【図１５】図１３のＤ−Ｄ断面を示す図。
【図１６】挿入する側から見たときの挿入部材の先端の構造を示す平面図。
【図１７】玉箱の斜視図。
【図１８】玉箱を上方から見たときの平面図。
【図１９】他の底壁構成を有する玉箱を上方から見たときの平面図。
【図２０】玉箱および高さ調整ベースの斜視図。
【図２１】玉箱を高さ調整ベースに設置した状態における、図２０のＥ−Ｅ断面を示す図。
【図２２】高さ調整ベースを下方（設置ベースに接触する側）から見たときの平面図。
【図２３】高さ調整ベースを備えた玉箱が、設置ベース上に設置された状態を示す斜視図。
【図２４】玉通路の斜視図。
【図２５】玉箱の排出口に対向して設けられた玉通路の側面を示す図。
【図２６】玉箱の排出口および玉通路の、パチンコ玉の流下方向に沿う断面を示す図。
【図２７Ａ】台間機（ユニット）を正面から見た平面図。
【図２７Ｂ】台間機（サンド）を正面から見た平面図。
【図２８】台間機の内部構成を模式的に示した図。
【図２９】玉通路が玉通路挿入口に挿入された状態の台間機の断面の一部を示す図。
【図３０】玉通路が取り外された後の台間機の断面の一部を示す図。
【図３１】上方から上壁を見たときの平面図。
【図３２】他の構成を示す上方から上壁を見たときの平面図。
【符号の説明】
【０１５２】
１…遊技処理システム、２…パチンコ機、３，４，６…台間機、５…スロットマシン、７…島コンピュータ、８…ネットワーク、１０…精算機、１１…景品管理機（ＰＯＳ）、１２…再プレー受付機、１３…管理装置、１４…プロトコルコンバータ、１５…モデム、１６…カードセンタ、１７…パーソナルコンピュータ、１８…景品払出機、２０…発行機、２１…データ表示機、２２…データ公開機、１００…パチンコ島、１０１…板、１０２…幕板、１０３…膳板、１０４…天板、２００…台本体、２０１…上皿、２０２…皿、２０２ａ…皿シャッタ、２０４…シャッタ操作部、２０５…表示機、２１０…アウト玉排出部、２１１…アウトボックス、２１２…アウトメータ、２１３…排出パイプ、２１４…排出樋、２１５…入力コネクタ、２１６…下部入力コネクタ、２１８…排出パイプ、３００…玉箱、３０１，３７０，３７１，３７２…底壁、３０２ａ，３０２ｂ，３０３ａ，３０３ｂ，３５２，３５３，３８０ａ，３８０ｂ，５１０ａ，５１０ｂ…側壁、３０４…収容部、３０５…フランジ部、３０６…傾斜底壁部、３０６ａ…ゴムシート、３０７…整列通路底壁部、３０８…排出口、３０９…通路セパレータ、３１０…敷居部材、３１１…流下通路、３１３…導電部材、３１４…接地用導電部材、３１５…上壁面、３１６，４０８，４０９，７０３…開口部、３３０…突出機構、３３１…突出部、３３２…操作レバー、３３３…伝達部、３３４…カバー、３３５，３４５，４０４…回転軸、３３６…ガイド部、３４０…玉排出制御機構、３４１…当接部材、３４２…伝達部、３４３…ばね部材、３４４ａ、３４４ｂ…アーム、３５０…玉排出制御機構、３５１，３５４，３５５…挿入口、３６０…挿入部材、３６１…本体部、３６２…突起部材、３６３，４５３…ガイド溝、３７２ａ，３７２ｂ…傾斜面、３７２ｃ…峰部、３７３…ガイド部材、３７３ａ…一端部、３８１…溝部、３９０，４０５…突出部材、４００…玉通路、４０１…入り口、４０２…通路セパレータ、４０３…出口、４０６…装着部、４０７…支持部材、４５０…設置ベース、４５１…ベース部材、４５２…ガイド部材、４５４…位置決め部材、４５５…アース部材、５００…高さ調整ベース、５４０…導電部材、６００…設置用冶具、６１０…基準設置部、６１１…台間機設置位置設置部材、６１２…アーム部材、６２０…設置位置指示部、６２１…高さ調整部材、６５０…制御部、６５０ａ…インターフェース回路、６５１…カード処理機、６５２…電源回路、６５３…計数処理部、７００…支持部材、７０５…傾斜壁、７２０…離脱阻止機構、７２１…係合突起部材、７２４…操作部、７３０…玉流下停止機構、７４０…計数部。
【図１】
0004384693.tif 000002
【図２】
0004384693.tif 000003
【図３】
0004384693.tif 000004
【図４】
0004384693.tif 000005
【図５】
0004384693.tif 000006
【図６】
0004384693.tif 000007
【図７】
0004384693.tif 000008
【図８】
0004384693.tif 000009
【図９】
0004384693.tif 000010
【図１０】
0004384693.tif 000011
【図１１】
0004384693.tif 000012
【図１２】
0004384693.tif 000013
【図１３】
0004384693.tif 000014
【図１４】
0004384693.tif 000015
【図１５】
0004384693.tif 000016
【図１６】
0004384693.tif 000017
【図１７】
0004384693.tif 000018
【図１８】
0004384693.tif 000019
【図１９】
0004384693.tif 000020
【図２０】
0004384693.tif 000021
【図２１】
0004384693.tif 000022
【図２２】
0004384693.tif 000023
【図２３】
0004384693.tif 000024
【図２４】
0004384693.tif 000025
【図２５】
0004384693.tif 000026
【図２６】
0004384693.tif 000027
【図２７Ａ】
0004384693.tif 000028
【図２７Ｂ】
0004384693.tif 000029
【図２８】
0004384693.tif 000030
【図２９】
0004384693.tif 000031
【図３０】
0004384693.tif 000032
【図３１】
0004384693.tif 000033
【図３２】
0004384693.tif 000034